(57)【特許請求の範囲】
【請求項１】
ロール状に巻かれたフィルム原反からフィルムを引き出し案内し、このフィルムをフィルムの幅方向に沿って二つ折りに折り返すフィルム折返し機構に送り、この折り返されたフィルムを重ね合わせて縦シール機構に設けられた対向する一対の縦シールロールにより縦シールし、この縦シール箇所によりフィルムを筒状に形成するとともに、この筒状に形成されたフィルムを横シール機構に設けられた一対の横シールロールにより横シールし、この横シール箇所によって包装袋となる底部を形成し、この底部により有底筒状に形成されたフィルム内に被包装物を充填し、さらにフィルムを送りつつフィルムの袋口部側となる箇所を前記横シール機構の横シールロールにより横シールして包装袋として連続包装してなる充填包装機において、前記フィルム折返し機構には、二つ折りに折り返したフィルムの内表面側に沿ってフィルムをガイドする内面案内部材と、この内面案内部材と所定の間隔を介してフィルムの外表面側と接触する左右一対の予熱ブロック部材と、この予熱ブロック部材の内部に設けられたヒータと、を備えてなることを特徴とする充填包装機。
【請求項２】
前記予熱ブロック部材には、前記ヒータを内蔵するための中空部を設けるとともに、この中空部内にて前記ヒータを移動調整可能に配設してなることを特徴とする請求項１に記載の充填包装機。
【請求項３】
前記予熱ブロック部材の内部には、複数のヒータを配設してなることを特徴とする請求項１または請求項２に記載の充填包装機。
【請求項４】
前記予熱ブロック部材の温度を計測する温度検出部を設けてなることを特徴とする請求項１から請求項３のいずれか１項に記載の充填包装機。
【請求項５】
前記包装袋は、前記フィルムを前記縦シール機構と前記横シール機構とによって縦横に三方シールあるいは四方シールして前記被包装物を密封シールするようにしてなること特徴とする請求項１から請求項４のいずれか１項に記載の充填包装機。
【発明の詳細な説明】
【０００１】
【発明の属する技術分野】
本発明は、連続移送される包装フィルムを縦横に三方シールあるいは四方シールすることによって、液体や粉体あるいは粘稠物質などの被包装物を密封シールするようにしてなる充填包装機に関するものである。
【０００２】
【従来の技術】
従来より、たとえば液体や粉体あるいは粘稠物質などの被包装物を充填して密封シールするための包装袋としては、一般的に合成樹脂製のフィルムあるいはこれとアルミニウム箔などとを接合した積層物などの包装材料からなる包装フィルムを、縦横に三方シールあるいは四方シールすることによって包装袋を形成している。
【０００３】
従って、このような包装袋を得るために三方シールあるいは四方シールして包装する充填包装機としては、たとえば特開平１−１５３４１０号公報や特開平２−３２９２９号公報あるいは特開昭６１−６９５２１号公報などによって知られている。その一例として図９および図１０に示すように、三方シールによる包装袋を製袋する充填包装機として、その充填包装機の機台１の側部に保持枠２が設けられ、この保持枠２にロール状にフィルムＦを巻回したフィルム原反Ｒが着脱交換可能に保持されており、前記機台１の上部にフィルム案内機構３およびフィルム折返し機構４を配設し、前記機台１の前面部に上側から縦シール機構５、横シール機構６およびカッター機構７が備え付けられており、フィルム案内機構３を介してフィルム折返し機構４に包装フィルムＦを導き出し、フィルム折返し機構４によりフィルムＦを長手方向に沿って二つ折りとし、次いで加熱された前記縦シール機構５に設けられた左右一対の縦シールロール５ＡによってフィルムＦを挟みながら送り出すとともに、前記縦シールロール５ＡによりヒートシールすることによってフィルムＦを筒状に縦シールＦＨし、続いて加熱された横シール機構６に設けられた左右一対の横シールロール６ＡによりフィルムＦを横方向にヒートシールすることによって横シールＦＳし、この横シールＦＳにより包装袋Ｐとなる底部を形成し、これにより有底筒状に形成されたフィルムＦ内にたとえば充填機構８の充填ノズル８Ａにより液体などからなる被包装物Ｗを充填し、さらにフィルムＦが送られて再び横シール機構６の横シールロール６ＡによってフィルムＦの袋口側を横シールＦＳして被包装物Ｗを封止することによって連続した包装袋Ｐが形成され、次いで連続した包装袋Ｐの横シールＦＳ箇所の中間部をカッター機構７で切断することにより包装袋Ｐが一個毎に分離されて送り出されるようにしたものが知られている。
【０００４】
この場合、前記横シール機構６としては、フィルムＦの長手方向に沿って第１の横シール機構６の横シールロール６Ａと第２の横シール機構６の横シールロール６Ａとが上下に２対装備されており、前記縦シール機構５によって筒状に製袋されながら送り出されるフィルムＦ内に前記充填機構８の充填ノズル８Ａによって充填された被包装物Ｗを挟み付けて押し出しながら前記第１の横シール機構６の一対の横シールロール６Ａによりヒートシールすることによって横シールＦＳした後、続いてその第１の横シール機構６によってヒートシールされた横シールＦＳ箇所に第２の横シール機構６の横シールロール６Ａにより低温過熱状態あるいは常温の状態にて再度押圧して横シールＦＳ箇所の封止状態を良好に保つようにしている。
【０００５】
【発明が解決しようとする課題】
ところで、上述した従来の充填包装機においては、縦シール機構５の一対の縦シールロール５ＡによってフィルムＦをヒートシールしつつ送り出しているが、シール機構５の一対の縦シールロール５Ａの回転速度が低速であった場合については、縦シールロール５ＡとフィルムＦとの接触する時間が長く取れるため縦シールロール５Ａの熱を受けて熱溶融されるフィルムＦは、そのフィルムＦの熱溶融樹脂層に熱が適正な状態に伝わって溶融し、フィルムＦの縦シールＦＨ箇所に適正なヒートシールを施すことが可能となるが、フィルムＦの移送速度が高速になればなるほど、対をなす縦シールロール５Ａに挟まれて加熱されるフィルムＦの領域は、そのフィルムＦに対して円形状の縦シールロール５Ａを介して突き合わせて配設されるために、その加圧されてヒートシールされる領域としては、図１０の模式図に示したように、加熱される領域Ｔ１が狭いエリアとなり、この結果、その回転方向前方側部分および回転方向後方側部分のそれぞれの部分の熱量不足に起因して、それらの各部分と接触する縦シールＦＨ箇所にヒートシール不良が発生することがある。
【０００６】
そこで、この点を考慮するものとして、前記縦シール機構５の上方側、すなわちフィルムＦの搬送方向上流側であるフィルム折返し機構４と縦シール機構５との間に予熱機構９を設け、この予熱機構９に設けたスリットの間に二つ折りに折り返されたフィルムＦの折返し両端縁を通して予熱することにより、縦シール機構５によって加圧しながらヒートシールする際に熱量不足を補うことをねらいとしたものが提案されている。
【０００７】
しかしながら、前記予熱機構９によるフィルムＦの予熱手段としては、折り返されたフィルムＦの端部のみを予熱機構９に設けたスリットの間を通しながら予熱機構９との接触によりフィルムＦを加熱する構成を採用しているため、予熱機構９との接触圧が低くなりやすいために、熱の伝達効率が良好とは言えず、よって、予熱機構９の予熱温度を高めに設定しなければならないことがあり、シール状態を良好とするために予熱機構９の予熱温度を高めに設定した場合、フィルムＦ自体を傷めてしまう虞もある。
【０００８】
また、他の予熱手段として、たとえばフィルムＦを繰り出すローラ箇所にヒータを内蔵し、加熱されたローラによってフィルムＦを挟み付けながらあるいは所定のテンションを加えながら送り出し、ローラからなる予熱手段によって加熱されたてフィルムＦをフィルム折返し機構へと送り込んでフィルムＦを二つ折りに折り返した後、縦シール機構へと送り込むことも考えられるが、フィルムＦの材質によっても異なるが、加熱されたフィルムＦをフィルム折返し機構へ送り込む時にフィルム折返し機構のガイドとフィルムＦとの間で摩擦が生じやすく、その摩擦の増加に伴ってフィルムＦが蛇行してしまう虞がある。
【０００９】
そこで本発明は、従来の問題を解決することをねらいとし、包装速度を低下させることなく、縦シール機構によって加圧しながらヒートシールする際に熱量不足を補うことのできる充填包装機を提供することを目的とする。
【００１０】
【課題を解決するための手段】
この発明は、請求項１では、ロール状に巻かれたフィルム原反からフィルムを引き出し案内し、このフィルムをフィルムの幅方向に沿って二つ折りに折り返すフィルム折返し機構に送り、この折り返されたフィルムを重ね合わせて縦シール機構に設けられた対向する一対の縦シールロールにより縦シールし、この縦シール箇所によりフィルムを筒状に形成するとともに、この筒状に形成されたフィルムを横シール機構に設けられた一対の横シールロールにより横シールし、この横シール箇所によって包装袋となる底部を形成し、この底部により有底筒状に形成されたフィルム内に被包装物を充填し、さらにフィルムを送りつつフィルムの袋口部側となる箇所を前記横シール機構の横シールロールにより横シールして包装袋として連続包装してなる充填包装機において、前記フィルム折返し機構には、二つ折りに折り返したフィルムの内表面側に沿ってフィルムをガイドする内面案内部材と、この内面案内部材と所定の間隔を介してフィルムの外表面側と接触する左右一対の予熱ブロック部材と、この予熱ブロック部材の内部に設けられたヒータと、を備えてなることを特徴とする充填包装機である。
【００１１】
また請求項１において、請求項２では、前記予熱ブロック部材には、前記ヒータを内蔵するための中空部を設けるとともに、この中空部内にて前記ヒータを移動調整可能に配設してなることを特徴とする充填包装機である。
【００１２】
また請求項３では、請求項１または請求項２において、前記予熱ブロック部材の内部には、複数のヒータを配設してなることを特徴とする充填包装機である。
【００１３】
また請求項４では、請求項１から請求項３のいずれか１項において、前記予熱ブロック部材の温度を計測する温度検出部を設けてなることを特徴とする充填包装機である。
【００１４】
また請求項５では、請求項１から請求項４のいずれか１項において、前記包装袋は、前記フィルムを前記縦シール機構と前記横シール機構とによって縦横に三方シールあるいは四方シールして前記被包装物を密封シールするようにしてなること特徴とする充填包装機である。
【００１５】
【発明の実施の形態】
本発明の請求項１では、ロール状に巻かれたフィルム原反からフィルムを引き出し案内し、このフィルムをフィルムの幅方向に沿って二つ折りに折り返すフィルム折返し機構に送り、この折り返されたフィルムを重ね合わせて縦シール機構に設けられた対向する一対の縦シールロールにより縦シールし、この縦シール箇所によりフィルムを筒状に形成するとともに、この筒状に形成されたフィルムを横シール機構に設けられた一対の横シールロールにより横シールし、この横シール箇所によって包装袋となる底部を形成し、この底部により有底筒状に形成されたフィルム内に被包装物を充填し、さらにフィルムを送りつつフィルムの袋口部側となる箇所を前記横シール機構の横シールロールにより横シールして包装袋として連続包装してなる充填包装機において、前記フィルム折返し機構には、二つ折りに折り返したフィルムの内表面側に沿ってフィルムをガイドする内面案内部材と、この内面案内部材と所定の間隔を介してフィルムの外表面側と接触する左右一対の予熱ブロック部材と、この予熱ブロック部材の内部に設けられたヒータと、を備えてなることにより、フィルム折返し機構に設けたヒータを内蔵した予熱ブロック部材によって、二つ折りに折り返されたフィルムの外表面を外側から挟み付けながら押圧状態にしてフィルムを送り出すことによってフィルムへの熱の伝達効率を良好にしつつ予熱することができ、これにより予熱ブロック部材への所定の接触圧を保ちながらフィルムを送り出すことによって、安定した状態にてフィルムを事前に加熱することができ、次工程におけるそれぞれ対をなす縦シールロールにてフィルムを挟み付けながら縦シールを行う際に、フィルムの熱溶融樹脂層に熱が伝わり易く良好に溶融することができ、フィルムの移送速度を高めたとしても、縦シール箇所のシール状態を良好に保つことができ、縦シール箇所のヒートシール不良を予防することができる。この際、フィルムを二つ折りに折り返すフィルム折返し機構の一部の構成を兼用してフィルムを予熱することが可能となり、追加する部品点数を極力抑えることもできる。
【００１６】
この際、請求項２では、前記予熱ブロック部材には、前記ヒータを内蔵するための中空部を設けるとともに、この中空部内にて前記ヒータを移動調整可能に配設してなることにより、前記縦シールロールの設置位置などに合わせてヒータのセット位置を設定することが可能となるため、縦シールロールによって縦シール箇所に相当するフィルムの所定箇所を良好に加熱することができ、縦シールロールにてフィルムを挟み付けながら縦シールを行う際に、フィルムの熱溶融樹脂層に熱が伝わり易く良好に溶融することができ縦シール箇所のシール強度を高めることができる。
【００１７】
また請求項３では、請求項１または請求項２において、前記予熱ブロック部材の内部には、複数のヒータを配設してなることにより、フィルムの材質あるいはフィルムの送りスピードなどに応じてヒータへの通電状態の切り換えにより、適正な状態にて縦シール箇所に相当するフィルム箇所を加熱することができるものであり、また請求項４では、請求項１から請求項３のいずれか１項において、前記予熱ブロック部材の温度を計測する温度検出部を設けてなることにより、フィルムの材質や厚みあるいはフィルムの送りスピードなどに合わせて温度設定することができ、適正なるシール強度を設定することが可能となる。
【００１８】
また請求項５では、請求項１から請求項４のいずれか１項において、前記包装袋は、前記フィルムを前記縦シール機構と前記横シール機構とによって縦横に三方シールあるいは四方シールして前記被包装物を密封シールするようにしてなる充填包装機に適用可能であり、、また多連型の四方シール包装袋を密封シールするタイプの縦シール機構においても適用することが可能である。
【００１９】
【実施例】
以下、本発明の第１実施例を添付図面を参照にして説明する。本発明に係る充填包装機の概略構成とその動作について、図１から図４を参照して述べる。
同図において、充填包装機の全体概要の構成として、フィルムＦを巻回したフィルム原反Ｒが充填包装機の機台の側方に設けられた保持枠１２に装填されて支持されており、前記フィルム原反Ｒから引き出し案内されたフィルムＦは、フィルム案内機構１３を介して所定のテンションが付与されて一旦上方へと引き出し案内され、充填包装機の機台の上部に設けたフィルム折返し機構１４によりフィルムＦの長手方向に沿って二つ折りに折り返して下方へ引き出し案内するように構成している。
【００２０】
この実施例では、この下方へ引き出し搬送される二つ折りに折り返されたフィルムＦは、縦シール機構１５に設けられた対をなす縦シールロール１５Ａ，１５Ａが左右にそれぞれ２箇所に設けられ、左右にそれぞれ設けられた対をなす縦シールロール１５Ａ，１５Ａによって二つ折りに折り返されたフィルムＦの折返し縁部と折返し端部同志（左右両縁部）とをそれぞれ縦方向にヒートシールすることによって縦シールＦＨ箇所がフィルムＦの両側端に形成され、次いで前記縦シール機構１５の下方に配設された横シール機構１６の横シールロール１６Ａによってヒートシールされて横シールＦＳ箇所が形成され、四方シールされた包装袋Ｐが連続して製袋される。
【００２１】
この場合、前記横シール機構１６の一対の横シールロール１６Ａ，１６Ａにより横方向に所定間隔を置いてヒートシールされて横シール部ＦＳ箇所が形成され、この横シールＦＳ箇所により包装袋Ｐとなる有底筒状の底部が形成され、これにより有底筒状に形成されたフィルムＦ内に充填機構１８の充填ノズル部１８Ａから被包装物Ｗが充填され、続いてフィルムＦを送り出した後に前記横シール機構１６の横シールロール１６Ａ，１６ＡによりフィルムＦの袋口部となる箇所をヒートシールし、このヒートシールによる横シールＦＳ箇所によって被包装物Ｗが封止される。
【００２２】
なお、従来例にて示したように、この横シールＦＳ箇所を図示しないが第２の横シール機構に設けた対をなす横シールロールによってさらに加圧して封着してフィルムＦの四方をヒートシールし、次々と連包状態で包装袋Ｐを下方へ連続搬送されるように構成してもよい。
【００２３】
また、前記横シール機構１６の下方には、上下の連包状態の包装袋Ｐの横シールＦＳ箇所のほぼ中央部を切り離して搬出することのできるカッタ刃を備えた切断機構１７が配設されている。
【００２４】
ところで、この第１実施例においては、フィルムＦを二つ折りに折り返すためのフィルム折返し機構１４には、二つ折りに折り返したフィルムＦの内表面側に沿ってフィルムＦをガイドする内面案内部材１９が設けられるとともに、この内面案内部材１９の端部側に、すなわち二つ折りに折り返されたフィルムＦの折返し部の長手方向に沿ってフィルムＦを案内するガイドシャフト２０が設けられ、内面案内部材１９の両側部には、それぞれ所定の間隔を介してフィルムＦの外表面側と接触する左右一対の予熱ブロック部材２１が設けられ、この予熱ブロック部材２１には、ヒータＨを内蔵するための中空部２２が設けられ、この中空部２２内にて前記ヒータＨが移動調整可能に配設されており、この実施例ではヒータＨによる加熱温度を測定するための温度検出センサ２３が予熱ブロック部材２１の外面側に沿って配設されているが、前記中空部２２内に収容するように配設してもよいし、場合によってはヒータＨ自体に温度検出センサを備え付けた構造のものを採用してもよい。
【００２５】
従って、上記構成からなる本発明の充填包装機においては、フィルム折返し機構１４に設けたヒータＨを内蔵した予熱ブロック部材２１によって、二つ折りに折り返されたフィルムＦの外表面を外側から挟み付けながら押圧状態にしてフィルムＦを送り出すことによってフィルムＦへの熱の伝達効率を良好にしつつ予熱することができ、これにより予熱ブロック部材２１への所定の接触圧を保ちながらフィルムＦを送り出すことによって、安定した状態にてフィルムＦを事前に加熱することができ、次工程におけるそれぞれ対をなす縦シールロール１５Ａ，１５ＡによってフィルムＦを挟み付けながら縦シールＦＨを行う際に、フィルムＦの熱溶融樹脂層に熱が伝わり易く良好に溶融することができ、これによりフィルムＦの移送速度を高めたとしても、縦シールＦＨ箇所のシール状態を良好に保つことができ、縦シールＦＨ箇所のヒートシール不良を予防することができる。この際、フィルムＦを二つ折りに折り返すフィルム折返し機構１４の一部の構成を兼用してフィルムＦを予熱することが可能となり、追加する部品点数を極力抑えることができる。
【００２６】
また、予熱機能を備えたフィルム折返し機構１４によって二つ折りに折り返されたフィルムＦは、縦シール機構１５に設けられた対をなす縦シールロール１５Ａ，１５Ａが左右にそれぞれ２箇所に設けられ、左右にそれぞれ設けられた対をなす縦シールロール１５Ａ，１５Ａによって二つ折りに折り返されたフィルムＦの折返し縁部と折返し端部同志（左右両縁部）とがそれぞれ縦方向にヒートシールされて縦シールＦＨ箇所がフィルムＦの両側端に形成されるが、この場合、二つ折りに折り返されたフィルムＦの幅寸法に応じて縦シールＦＨ箇所が設定されるものであり、またこの縦シールＦＨ位置に合わせて前記予熱ブロック部材２１に設けた中空部２２内にて前記ヒータＨを移動調整して予熱ブロック部材２１の加熱状態を調節することが可能となるため、縦シールＦＨ箇所に相当するフィルムＦの所定箇所を良好に加熱することができる。（図２から図４を参照）
【００２７】
この場合、フィルム折返し機構１４に装備された予熱ブロック部材２１とヒータＨとの実施態様例として、第１実施例では図３などで示したように、左右一対に設けられたそれぞれの予熱ブロック部材２１に、予熱ブロック部材２１の長手方向に沿って一箇所に中空部２２を設け、この中空部２２内に一つのヒータＨを内蔵して移動調整可能に設けて構成したり、図５に示すように、予熱ブロック部材２１の長手方向に沿って上下２箇所に中空部２２，２２Ａを設け、それぞれの中空部２２，２２Ａの内部にヒータＨをそれぞれ配設し、各ヒータＨを中空部２２内にて移動可能に設けて構成したり、あるいは図６に示すように予熱ブロック部材２１の長手方向に沿って一箇所に中空部２２を設け、この中空部２２内に２つのヒータＨ１，Ｈ２を内蔵し、それぞれのヒータＨ１，Ｈ２を移動調整可能にあるいはその一方を移動調整可能に配設して構成している。
【００２８】
従って、上述の実施態様例にて示したように、前記予熱ブロック部材２１の内部に配設した単数あるいは複数のヒータＨによって、フィルムＦの材質あるいはフィルムＦの送りスピードなどに応じてヒータＨ，Ｈ１，Ｈ２への通電状態の切り換え（ＯＮ，ＯＦＦの切り換えや通電電流の設定による温度設定の切り換え）により、適正な状態にて縦シールＦＨ箇所に相当するフィルムＦ箇所を加熱することができるものであり、また前記予熱ブロック部材２１の温度を計測する温度検出部（温度検出センサ２３）を配設してなることにより、フィルムＦの材質や厚みあるいはフィルムＦの送りスピードなどに合わせてフィルムＦを事前に加熱して温度設定することができ、次工程におけるそれぞれ対をなす縦シールロール１５Ａ，１５ＡによってフィルムＦを挟み付けながら縦シールＦＨを行う際に、フィルムＦの縦シール箇所ＦＨを適正なるシール強度によってヒートシールすることが可能となる。
【００２９】
なお、本発明は上述した実施例に限定されるものでなく本発明の要旨の範囲において種々の変形実施が可能であり、前述した実施例における四方シールによる包装袋Ｐとしては、一枚のフィルムＦを半折り状態に引き出し案内し、この半折りに折り返された折返し端部と折り返された包装フィルムＦの折返し端縁（左右両縁部）とが対をなす縦シール機構１５の２箇所に配設した縦シールロール１５Ａ，１５Ａによりそれぞれ縦方向にヒートシールすることによって縦シールＦＨされ、両端側にそれぞれ縦シールＦＨされた四方シールによる包装袋Ｐを成形する例を述べたが、たとえば図７に示すように包装フィルムＦを三方シールして包装袋Ｐを成形するもの、図８に示すように一枚の包装フィルムＦを半折り状態に折り返しながら引き出し案内し、この半折りに折り返された折返し端部と折り返されたフィルムＦの中央部および折返し端縁（左右両縁部と中間部）とが対をなす縦シール機構の三つの縦シールロールにより縦方向に縦ヒートシールして二列に筒状に製袋された包装袋Ｐを成形するもの、あるいは図示はしないが縦シール機構に縦シールロールを多数設け、この縦シールロールと横シール機構の横シールロールとによって四方シールされた横列単位で多数の包装袋を成形するものなどにおいて、それぞれ得られる包装袋の製作過程において、従前のフィルム折返し機構１４に予熱機構となる必要最小限の部分的に簡単な部品（予熱ブロック部材２１、ヒータＨ、温度検出センサ２３）を追加することによって実施することができるというメリットがある。
【００３０】
【発明の効果】
以上詳述したように、請求項１の発明によれば、ロール状に巻かれたフィルム原反からフィルムを引き出し案内し、このフィルムをフィルムの幅方向に沿って二つ折りに折り返すフィルム折返し機構に送り、この折り返されたフィルムを重ね合わせて縦シール機構に設けられた対向する一対の縦シールロールにより縦シールし、この縦シール箇所によりフィルムを筒状に形成するとともに、この筒状に形成されたフィルムを横シール機構に設けられた一対の横シールロールにより横シールし、この横シール箇所によって包装袋となる底部を形成し、この底部により有底筒状に形成されたフィルム内に被包装物を充填し、さらにフィルムを送りつつフィルムの袋口部側となる箇所を前記横シール機構の横シールロールにより横シールして包装袋として連続包装してなる充填包装機において、前記フィルム折返し機構には、二つ折りに折り返したフィルムの内表面側に沿ってフィルムをガイドする内面案内部材と、この内面案内部材と所定の間隔を介してフィルムの外表面側と接触する左右一対の予熱ブロック部材と、この予熱ブロック部材の内部に設けられたヒータと、を備えてなることにより、フィルム折返し機構に設けたヒータを内蔵した予熱ブロック部材によって、二つ折りに折り返されたフィルムの外表面を外側から挟み付けながら押圧状態にしてフィルムを送り出すことによってフィルムへの熱の伝達効率を良好にしつつ予熱することができ、これにより予熱ブロック部材への所定の接触圧を保ちながらフィルムを送り出すことによって、安定した状態にてフィルムを事前に加熱することができ、次工程におけるそれぞれ対をなす縦シールロールにてフィルムを挟み付けながら縦シールを行う際に、フィルムの熱溶融樹脂層に熱が伝わり易く良好に溶融することができ、フィルムの移送速度を高めたとしても、縦シール箇所のシール状態を良好に保つことができ、縦シール箇所のヒートシール不良を予防することができる。この際、フィルムを二つ折りに折り返すフィルム折返し機構の一部の構成を兼用してフィルムを予熱することが可能となり、追加する部品点数を極力抑えることもできる。
【００３１】
また請求項１において、請求項２の発明では、前記予熱ブロック部材には、前記ヒータを内蔵するための中空部を設けるとともに、この中空部内にて前記ヒータを移動調整可能に配設してなることにより、前記縦シールロールの設置位置などに合わせてヒータのセット位置を設定することが可能となるため、縦シールロールによって縦シール箇所に相当するフィルムの所定箇所を良好に加熱することができ、縦シールロールにてフィルムを挟み付けながら縦シールを行う際に、フィルムの熱溶融樹脂層に熱が伝わり易く良好に溶融することができ縦シール箇所のシール強度を高めることができる。
【００３２】
また請求項１または請求項２において、請求項３の発明では、前記予熱ブロック部材の内部には、複数のヒータを配設してなることにより、フィルムの材質あるいはフィルムの送りスピードなどに応じてヒータへの通電状態の切り換えにより、適正な状態にて縦シール箇所に相当するフィルム箇所を加熱することができるものであり、また請求項１から請求項３のいずれか１項において、請求項４の発明では、前記予熱ブロック部材の温度を計測する温度検出部を設けてなることにより、フィルムの材質や厚みあるいはフィルムの送りスピードなどに合わせて温度設定することができ、適正なるシール強度を設定することが可能となる。
【００３３】
また請求項１から請求項４のいずれか１項において、請求項５の発明では、前記包装袋は、前記フィルムを前記縦シール機構と前記横シール機構とによって縦横に三方シールあるいは四方シールして前記被包装物を密封シールするようにしてなる充填包装機に適用可能であり、また多連型の四方シール包装袋を密封シールするタイプの縦シール機構においても適用することが可能である。
【図面の簡単な説明】
【図１】本発明の第１実施例を示す充填包装機の全体概要正面図である。
【図２】図２は図１の充填包装機の予備加熱を備えたフィルム折返し機構と縦シール機構とによってヒートシールされる包装フィルム部分を主体に示した要部の側面図である。
【図３】図３は、図１の予備加熱を備えたフィルム折返し機構と縦シール機構との主要部を一部を断面で示した正面図である。
【図４】図４は、第１実施例にて包装シールされる四方シールによる包装袋を示す概要斜視図である。
【図５】図５は、本発明のフィルム折返し機構に装備された予熱ブロック部材とヒータとの実施態様例を、一部を断面で示した要部の正面図である。
【図６】図６は、本発明のフィルム折返し機構に装備された予熱ブロック部材とヒータとの実施態様例を、一部を断面で示した要部の正面図である。
【図７】本発明で適用される三方シールによる包装袋の概要斜視図である。
【図８】本発明で適用される一枚の包装フィルムを半折り状態に引き出し案内して、縦方向に二列に筒状に製袋してなる包装袋を示した概要斜視図である。
【図９】従来例の充填包装機における全体概要正面図である。
【図１０】図１０は、図９の充填包装機の縦シール機構によってヒートシールされる包装フィルム部分を主体に示した要部の側面図である。
【符号の説明】
Ｆ      包装フィルム
ＦＨ    縦シール
ＦＳ    横シール
Ｈ，Ｈ１，Ｈ２    ヒータ
Ｐ      包装袋
Ｒ      フィルム原反
Ｗ      被包装物
１２    保持枠
１３    フィルム案内機構
１４    フィルム折返し機構
１５    縦シール機構
１５Ａ    縦シールロール
１６    横シール機構
１６Ａ    横シールロール
１７    切断機構
１８    充填機構
１８Ａ    充填ノズル部
１９    内面案内部材
２０    ガイドシャフト
２１    予熱ブロック部材
２２，２２Ａ    中空部
２３    温度検出センサ（温度検出部）
【図１】
0004107796.tif 000002
【図２】
0004107796.tif 000003
【図３】
0004107796.tif 000004
【図４】
0004107796.tif 000005
【図５】
0004107796.tif 000006
【図６】
0004107796.tif 000007
【図７】
0004107796.tif 000008
【図８】
0004107796.tif 000009
【図９】
0004107796.tif 000010
【図１０】
0004107796.tif 000011